(57)【要約】【課題】衣服に穴をあけたり跡形をつけたりして傷つけることなく、衣服の部分デザインを活用して装着する、新しい形態の服飾アクセサリーを提供する。【解決手段】ボタンやボタンホールや肩ひもやベルト通しなどの、衣服の部分デザインを活用し、滑らかなロープで作った輪状体に固定体をくぐらせて装着するという形態の服飾アクセサリーである。【選択図】図１
0003138272.tif 000002
【実用新案登録請求の範囲】
【請求項１】
金属、皮、植物系素材、化学系素材から作られたロープ（１）とペンダントトップ（２）と、前記ロープの端を輪にして留め具（３Ａ）で固定した輪状態（６）と、前記輪状体と前記留め具の間をスライドし輪の大きさを調整する調整具（４）と、前記輪状体を設けた端と反対側の端に設けた固定体（５）と、前記固定体とペンダントトップとの間に設け留め具（３Ｂ）で固定した輪状態（７）とを特徴とする服飾アクセサリー。
【考案の詳細な説明】
【技術分野】
【０００１】
本考案は、ロープ、固定体、留め具、調整具を使う、新しい形態の服飾アクセサリーとして使用するものである。
【背景技術】
【０００２】
従来の服飾用のアクセサリーの装着法は、ブローチやアクセサリークリップなどに見られるようにピンや鰐口クリップなどで留めるため、衣服に穴や跡形をつけ傷つけてしまうものが多かった。
【考案の開示】
【考案が解決しようとする課題】
【０００３】
解決しようとする問題点は、衣服にアクセサリーを装着する際、衣服を傷つけるというストレスなく装着できない点である。
【課題を解決するための手段】
【０００４】
本考案は、衣服の部分デザインを活用しながら、滑らかなロープで作った輪状体に固定体を通すことで装着することを特徴とする服飾アクセサリー。
【考案の効果】
【０００５】
本考案は衣服を傷つける心配がないため、安心しておしゃれを楽しむことが可能という利点がある。また、本考案を使った新しいコーディネートを楽しむことが可能できる。
【考案を実施するための最良の形態】
【０００６】
[図３]、[図４]の、ボタンとボタンホールを活用して装着する服飾アクセサリー。
【０００７】
[図５]の、衣服の肩ひもやベルト通しなど、衣服のさまざまな部分デザインを活用して装着する服飾アクセサリー。
【０００８】
[図６]のように本考案を応用して、本考案の特徴を組み合わせた形態の服飾アクセサリー。
【実施例１】
【０００９】
本考案は[図１]のように、ロープ（１）、ペンダントトップ（２）、留め具（３Ａ、３Ｂ）、調整具（４）、固定体（５）、ロープで作った輪状体（６、７）で構成されている。
【００１０】
ロープは柔軟で軽量で折れ目がつきにくく滑らかな、金属、皮、植物系素材、化学系素材からなるものを使用する。
【００１１】
留め具（３Ａ、３Ｂ）は、本考案では筒状のアルミクランプ管を使用しているが、ロープ上にしっかり固定することができるものであれば、素材や形態は任意である。
【００１２】
調整具（４）は、本考案ではめがね型のアルミクランプ管を使用しているが、輪状体（６）と留め具（３Ａ）の間を、指でつまんでスライドすることができ、装着時に簡単に位置がずれてしまわなければ、素材や形態は任意である。
【００１３】
ペンダントトップの素材、形態は任意である。
【００１４】
固定体（５）は、本考案では球体を使用しているが、素材、形態は任意である。また、本考案では固定体（５）とロープ（１）とを接着剤で接合しているが、その設置方法は任意である。
【００１５】
本考案の製作工程としては、[図１]のように、ロープ（１）にペンダントトップ（２）通し、前記ペンダントトップを中心にしてロープ（１）の両端からそれぞれ留め具（３Ａ）と（３Ｂ）を通しておく。留め具（３Ａ）を通した方のロープ（１）の端からは、さらに調整具（４）を通しておく。前記調整具を通した側のロープ（１）の先端を、前記調整具へ先ほどと反対側から通し輪状体（６）をつくり、留め具（３Ａ）でロープ（１）上に固定する。前記調整具（４）は、輪状体（６）と留め具（３Ａ）の間をスライドし、輪状体（６）の大きさを調整できるものとする。
輪状体（６）と反対側のロープ（１）の先端に固定体（５）を接合する。
前記ロープ（１）で使用したものと同素材か、他の金属、皮、植物系素材、化学系素材からなる別のロープ（[図１]の斜線部分）を用意し、その両端を留め具（３Ｂ）の上下から差し込んで輪状体（７）をつくり、ペンダントトップ（２）と固定体（５）の間のロープ（１）上で固定する、という手順である。
【００１６】
ただし、輪状態（７）について、筒状の留め具を使用しない場合、例えば[図２]の（３Ｂ）ように紐状のものを結んで留め具とする場合などは、ロープ（１）とは別のロープ（[図１]の斜線部分）を使わなくても、ロープ（１）で輪状体（７）をつくって固定してもよい。
【００１７】
衣服のボタンとボタンホールに装着する例としては、[図３]に記載のように、留め具（３Ａ）で固定したロープの輪状体（６）を衣服のボタン（８）に掛ける。このとき輪状体（６）がボタン（８）から簡単に外れないように調整具（４）をボタン（８）側にスライドさせて輪状体（６）の大きさを調整する。輪状体（６）と反対側のロープ（１）の端に設けた固定体（５）を衣服のボタンホール（９）にくぐらせた後、留め具（３Ｂ）でロープ上に固定した輪状体（７）をくぐらせるという形が理想的である。
【００１８】
他の装着例として、[図５]のように、複数の輪状体に固定体をくぐらせて、衣服の肩ひもやベルト通しなどに装着する形も好ましい。
【００１９】
また[図６]のように本考案の応用として、本考案の特徴である、ロープと、ペンダントトップと、留め具と、調整具と、固定体と、ロープで作って留め具で固定した輪状体とを、複数組み合わせた形態の服飾アクセサリーも本考案に含む。
【００２０】
本考案を使用することで、衣服との新しいコーディネートや、本考案を使用することを前提とした新しい形態の衣服をデザインすることも可能である、と考案者は考える。
本考案を上着のボタンとボタンホールに使用することで、下に着用しているインナーの柄やデザインを見せつつ、上着のボタンを閉じた時のような上着本来の理想的なシルエットで着用することが可能になる。
【００２１】
上記の、本考案を使用することを前提とした新しい形態のデザイン例として、[図４]のジャケットワンピースをあげる。ジャケットワンピースの前身ごろのセンター部分に隙間があくよう左右前身ごろを細身に作ったものである。本考案を前記ジャケットワンピースのボタンとボタンホールに装着してセンターを留めると、下に着用している服の色やデザインを見せつつ、前記ジャケットワンピースのシルエットは理想的に保たれる。また、本考案を複数個装着し、ペンダントトップの組み合わせや衣服とのコーディネートを楽しむことができる。
【００２２】
[図５]のように衣服のさまざまなデザイン特性を活用して本考案を使用することで、従来のアクセサリーの枠を超え、より衣服のデザインの一部として楽しむことができると考案者は考える。
【００２３】
本考案は、衣服に装着する従来のアクセサリーのように、針で穴をあけたりクリップで留めて跡形をつけてしまったりと衣服を傷めないので、安心して複数個装着し、おしゃれを楽しむことができる。
【産業上の利用可能性】
【００２４】
衣服を傷つけず、衣服の部分デザインを活用して装着できる新しい形態の服飾アクセサリーなので、安心して装着でき、さまざまな組み合わせや装着法で個性を表現し、トータルコーディネートを楽しむことができる。
【図面の簡単な説明】
【００２５】
【図１】本考案の正面図である。
【図２】本考案の留め具として紐状のものを使用した場合の輪状体部分の拡大図である。
【図３】本考案の使用方法の一例である。
【図４】本考案を複数個装着した実例である。
【図５】本考案を複数個装着した他の実例である。
【図６】本考案の応用例として特徴を組み合わせた形態の実例である。
【符号の説明】
【００２６】
１            ロープ
２            ペンダントトップ
３A          留め具
３B          留め具
４            調整具
５            固定体
６            輪状体
７            輪状体
８            衣服のボタン
９            衣服のボタンホール
斜線部分  ロープ（１）とは別のロープ
【図１】
0003138272.tif 000003
【図２】
0003138272.tif 000004
【図３】
0003138272.tif 000005
【図４】
0003138272.tif 000006
【図５】
0003138272.tif 000007
【図６】
0003138272.tif 000008